(57)【要約】【課題】本発明は、使い勝手を向上し得る。【解決手段】本発明は、カメラ付携帯電話機１において、ユーザの好みや体格、或いは周囲の状況によって撮像距離Ｌ１及びＬ２が異なる場合に、ズーム倍率ＺＭを変更することによってＣＣＤカメラ８の画角Ａｎｇ２でユーザの顔を最適に撮像する際、当該ＣＣＤカメラ８のズーム倍率ＺＭに応じてスピーカ６から出力されている音量出力レベルを音量補正値ＶＣを用いて補正することにより、撮像距離Ｌ２にかかわらずスピーカ６から出力される通話相手の音声を聞き取り易くでき、かくして使い勝手を向上し得る。【選択図】　　　　図４
2004040491.tif 000002
【特許請求の範囲】
【請求項１】
撮像対象を撮像して送信する映像通信装置において、
ズーム機能を有する撮像手段と、
音声を集音する集音手段又は音声を通知する通知手段の少なくとも一方を有し、上記撮像手段のズーム倍率の変更に応じて上記音声の音量レベルを制御する制御手段と
を具えることを特徴とする映像通信装置。
【請求項２】
上記制御手段は、
上記撮像手段のズーム倍率の変更に応じて、上記集音手段による上記音声を集音する音量入力レベルを制御する
ことを特徴とする請求項１に記載の映像通信装置。
【請求項３】
上記制御手段は、
上記撮像手段のズーム倍率の変更に応じて、上記通知手段による上記音声を通知する音量出力レベルを制御する
ことを特徴とする請求項１に記載の映像通信装置。
【請求項４】
上記撮像手段により人物の顔を撮像するとき、上記人物の顔のほぼ全体が上記撮像手段の撮像範囲に納まるように上記撮像手段のズーム倍率を制御するズーム制御手段を具え、
上記制御手段は、
上記ズーム制御手段により制御された上記撮像手段のズーム倍率の変更に応じて上記音声の音量レベルを制御する
ことを特徴とする請求項１に記載の映像通信装置。
【請求項５】
上記制御手段は、
ユーザが設定した基準音量レベルを上記ズーム倍率の変更に応じて補正することにより、上記音声の音量レベルを制御する
ことを特徴とする請求項１に記載の映像通信装置。
【発明の詳細な説明】
【０００１】
【発明の属する技術分野】
本発明は映像通信装置に関し、例えばカメラ付携帯電話機に適用して好適なものである。
【０００２】
【従来の技術】
近年、情報技術の発展に伴って、携帯電話機本体の所定部位にＣＣＤ（ＣｈａｒｇｅＣｏｕｐｌｅｄ　Ｄｅｖｉｃｅ）カメラを備えたカメラ付携帯電話機が製品化されている。
【０００３】
カメラ付携帯電話機においては、映像音声通信モード時、撮像部によって被写体を撮像することにより得られた映像信号を、音声信号とともに通話相手に送信し得るようになされている。
【０００４】
またカメラ付携帯電話機は、通話相手から送信された映像信号及び音声信号を受信したときには、その映像信号に基づく映像を表示部に表示させ得ると共に、その音声信号に基づく音声をスピーカから出力し得るようになされている。
【０００５】
【発明が解決しようとする課題】
ところで、かかる構成のカメラ付携帯電話機においては、映像音声通信モード時、ユーザ自身の顔を撮像しながら通話相手と通話する場合、当該カメラ付携帯電話機とユーザの顔との距離が当該ユーザの好みや体格、或いは周囲の状況に応じて変化することにより、当該距離によってはスピーカから出力される通話相手の音声が聞き取り難く、使い勝手が悪いという問題があつた。
【０００６】
本発明は以上の点を考慮してなされたもので、使い勝手を向上し得る映像通信装置を提案しようとするものである。
【０００７】
【課題を解決するための手段】
かかる課題を解決するため本発明においては、　撮像対象を撮像して送信する映像通信装置において、ズーム機能を有する撮像手段と、音声を集音する集音手段又は音声を通知する通知手段の少なくとも一方を有し、撮像手段のズーム倍率の変更に応じて音声の音量レベルを制御する制御手段とを設けるようにした。
【０００８】
従って、映像通信装置では、当該映像通信装置とユーザとの距離が変化する場合でも煩雑な操作を行うことなく当該距離に応じた最適な音量レベルで音声を集音又は通知することにより、当該ユーザと映像通信装置との距離にかかわらず良好な集音や通知を行うことができる。
【０００９】
【発明の実施の形態】
以下図面について、本発明の一実施の形態を詳述する。
【００１０】
図１において、１は全体として本発明によるカメラ付携帯電話機を示し、第１の筐体（以下、これを上側筐体と呼ぶ）２と第２の筐体（以下、これを下側筐体と呼ぶ）３とがヒンジ部４を介して折り畳み可能に形成されている。
【００１１】
上側筐体２には、上側右部に送受信用のアンテナ５が引出し及び収縮可能な状態で取り付けられているとともに、上側中央部に通知手段としてのスピーカ６が設けられており、当該スピーカ６を介して通話相手の音声等を出力する。
【００１２】
また、上側筐体２の正面には、スピーカ６の下側に例えばＬＣＤ（Ｌｉｑｕｉｄ　Ｃｒｙｓｔａｌ　Ｄｉｓｐｌａｙ）でなる表示部７が設けられており、当該表示部７を介して各種機能に対応したメニュー、電波の受信状態、電池残量、発信履歴、着信履歴、電子メール文及び簡易ホームページ等のあらゆる情報を表示する。
【００１３】
一方、下側筐体３には、その正面下部に集音手段としてのマイクロフォン９が設けられており、当該マイクロフォン９によって通話時のユーザの音声を集音する。
【００１４】
また、下側筐体３には、その正面中央に「０」〜「９」の数字キー、発呼キー、終話キー、電子メールキー及びズームキー等の複数の操作キーと、回動操作及び押下操作自在なジョグダイヤルとによって構成された操作部１０が設けられており、操作部１０の操作によりメニュー項目選択、発呼処理、映像音声通信やデータ通信等の種々の処理を実行するようになされている。
【００１５】
かかる構成に加えてカメラ付携帯電話機１においては、撮像倍率を電子的に可変するディジタルズーム機能を有するＣＣＤカメラ８がヒンジ部４に設けられており、操作部１０のズームキー（図示せず）を介してズーム倍率が変更されることにより、当該ＣＣＤカメラ８によって撮像対象をユーザ任意の倍率で撮像して表示部７に表示し得るようになされている。
【００１６】
因みにディジタルズームは、ＣＣＤカメラ８によって撮像された映像の一部を情報量はそのままに拡大することにより撮像倍率を可変するものであり、拡大した結果映像は粗くなるものの、光学ズームに比してズーム用のレンズを設ける必要がなく、ＣＣＤカメラ８を簡易な構造とし得る。
【００１７】
この場合、カメラ付携帯電話機１は、ＣＣＤカメラ８のズーム倍率を変更してズーム・アップ又はズーム・ダウンすることにより、ユーザの顔をクローズ・アップ又はロング・ショットした映像を表示部７に表示するようになされている。
【００１８】
かくしてカメラ付携帯電話機１は、ＣＣＤカメラ８によって撮像されている映像を表示部７に表示させることにより、音声とともに映像の通信を行う映像音声通信モード時に通話相手の他のカメラ付携帯電話機で表示される映像をユーザ自身に対して確認させ得るようになされている。
【００１９】
実際上、図２に示すように、カメラ付携帯電話機１においては、当該カメラ付携帯電話機１の各種機能を統括的に制御するＣＰＵ（Ｃｅｎｔｒａｌ　Ｐｒｏｃｒｓｓｉｎｇ　Ｕｎｉｔ）２０に対して、ＢＵＳ３０を介してＲＯＭ（Ｒｅａｄ　Ｏｎｌｙ　Ｍｅｍｏｌｙ）２１、ＲＡＭ（Ｒａｎｄａｍ　Ａｃｃｅｓｓ　Ｍｅｍｏｒｙ）２２、表示部７、ＣＣＤカメラ８、送受信部２３、信号処理部２４、操作部１０及びパーソナルコンピュータ等の外部機器に接続してデータ通信を行うための外部インターフェース２５が接続されているとともに、当該信号処理部２４にスピーカ６及びマイクロフォン９が接続された構成を有する。
【００２０】
そしてカメラ付携帯電話機１においては、ＲＯＭ２１に音量調整処理プログラムや各種アプリケーションプログラムが格納されており、ＣＰＵ２０がこれらの各種アプリケーションプログラムを適宜読み出してＲＡＭ２２上で実行することにより、各種機能を実現するようになされている。
【００２１】
ＣＰＵ２０は、音声のみの通信を行う音声通信モード時、操作部１０を介して通話相手の電話番号や発呼要求等からなる音声通信命令が与えられると、当該音声通信命令に従って基地局（図示せず）を介して通話相手の電話機（図示せず）との回線を接続することにより通話状態を確保する。
【００２２】
この際、ＣＰＵ２０は、マイクロフォン９によって集音した音声信号を信号処理部２４に送出し、当該信号処理部２４によってディジタル変換処理、誤り訂正処理及び変調処理を順次施すことにより音声データを得、これを送受信部２３によって周波数変換処理及びアナログ変換処理を順次施すことにより送信信号としてアンテナ５を介して通話相手に送信する。
【００２３】
またＣＰＵ２０は、通話相手の電話機からアンテナ５を介して受信した受信信号を送受信部２３で取り込み、当該送受信部２３によって所定の周波数変換処理及びディジタル変換処理を順次施すことにより音声データを得、これを信号処理部２４により復調処理、誤り検出処理及びアナログ変換処理を順次施し、その結果得られた音声信号をスピーカ６を介して出力する。
【００２４】
これに対してＣＰＵ２０は、映像音声通信モード時、操作部１０を介して通話相手の電話番号や発呼要求等からなる映像音声通信命令が与えられると、ＣＣＤカメラ８に対して電源供給を行うことにより動作状態とする。
【００２５】
この状態においてＣＰＵ２０は、映像音声通信命令に従って基地局を介して通話相手である他のカメラ付携帯電話機（図示せず）との回線を接続することにより通話状態を確保する。
【００２６】
ＣＰＵ２０は、マイクロフォン９によって集音された音声から得られた音声信号と、ＣＣＤカメラ８によって撮像されたユーザの顔の映像から得られた映像信号とを信号処理部２４に送出し、当該信号処理部２４によってディジタル変換処理、誤り訂正処理及び変調処理を順次施すことにより音声データ及び映像データを得、これを送受信部２３によって周波数変換処理及びアナログ変換処理を順次施すことにより送信信号としてアンテナ５を介して通話相手に送信する。
【００２７】
これにより通話相手の他のカメラ付携帯電話機では、スピーカからユーザの音声が出力されるとともに、カメラ付携帯電話機１のＣＣＤカメラ８で撮像された映像が表示部に表示されるようになされている。
【００２８】
またＣＰＵ２０は、通話相手の他のカメラ付携帯電話機からアンテナ５を介して受信した受信信号を送受信部２３で取り込み、当該送受信部２３によって周波数変換処理及びディジタル変換処理を施すことにより音声データ及び映像データを得、これらに信号処理部２４により復調処理、誤り検出処理及びアナログ変換処理を順次施し、その結果得られる音声信号をスピーカ６から出力するとともに映像信号を表示部７に送出する。
【００２９】
これによりスピーカ６は信号処理部２４から与えられた音声信号に基づく通話相手の音声を出力し、表示部７は信号処理部２４から与えられた映像信号に基づく通話相手の映像を表示する。
【００３０】
このときＣＰＵ２０は、後述する音量補正値テーブルＴ１００に基づき映像音声通信モードの初期設定として、ＣＣＤカメラ８のズーム倍率を２倍に初期設定することにより、当該ＣＣＤカメラ８によって被写体を２倍にクローズ・アップした映像を表示部７に表示し得るようになされている。
【００３１】
これに加えてＣＰＵ２０は、音量補正値テーブルＴ１００に基づき映像音声通信モードの初期設定として、信号処理部２４を制御し、操作部１０の受話音量調節キーによってユーザが設定したスピーカ６の音量出力レベル（以下、これを基準音量出力レベルと呼ぶ）を当該音量出力レベルの補正値（以下、これを音量補正値と呼ぶ）の分（例えば＋３［ｄＢ］）だけ増加させることによりスピーカ６からの音量出力レベルを引き上げ、当該スピーカ６から出力される音声を上げるようになされている。
【００３２】
これによりカメラ付携帯電話機１は、映像音声通信モードでは音声通信モード時に比してユーザの耳元がスピーカ６から離れているものの、イヤホン等を用いることなく当該スピーカ６からの音声を当該ユーザに対して十分に聞かせるようになされている。
【００３３】
実際上、ＲＯＭ２１には、図３に示すように音量補正値テーブルＴ１００が格納されており、当該音量補正値テーブルＴ１００はＣＣＤカメラ８のズーム倍率ＺＭが５段階のズームレベルＬＥに分けられており、当該ズーム倍率ＺＭに対してそれぞれ音量補正値ＶＣが対応付けられて記憶されている。
【００３４】
すなわちズームレベルＬＥのレベル「１」では、ズーム倍率ＺＭが１倍に設定されているとともに、当該ズーム倍率ＺＭに対する音声補正値ＶＣとして＋１［ｄＢ］が対応付けられている。
【００３５】
同様にズームレベルＬＥのレベル「２」、レベル「３」（初期設定）、レベル「４」及びレベル「５」では、ズーム倍率ＺＭが１．５倍、２倍、２．５倍及び３倍にそれぞれ設定されており、当該ズーム倍率ＺＭに対してそれぞれ音量補正値ＶＣとして＋２［ｄＢ］、＋３［ｄＢ］、＋４［ｄＢ］及び＋５［ｄＢ］が対応付けられている。
【００３６】
これによりカメラ付携帯電話機１は、操作部１０に設けられたズームキーが押下されることによりＣＣＤカメラ８のズーム倍率ＺＭがユーザ所望の倍率に変更されると、音量補正値テーブルＴ１００に基づいて、当該ズーム倍率ＺＭにそれぞれ対応付けられた音量補正値ＶＣの分だけ基準音量出力レベルを増加させることにより、当該ズーム倍率ＺＭに応じて補正された音量出力レベルに自動的に変更し得るようになされている。
【００３７】
例えばカメラ付携帯電話機１は、音声通信モードから映像音声通信モード時に移行すると、初期設定値としてズームレベルＬＥがレベル「３」（図３）に自動的に設定されることにより、ＣＣＤカメラ８のズーム倍率ＺＭを２倍に設定する。
【００３８】
そしてカメラ付携帯電話機１は、図４（Ａ）及び（Ｂ）に示すように、ＣＣＤカメラ８によって撮像した映像を表示部７の映像画面１００内に表示するとともに、通話相手のカメラ付携帯電話機へ送信する。
【００３９】
ここで映像画面１００には、ＣＣＤカメラ８で撮像しているユーザ自身の映像が主表示領域１００Ａに表示されるとともに、他のカメラ付携帯電話機で撮像している通話相手の映像が画面左下に設けられた副表示領域１００Ｂに表示されるようになされている。
【００４０】
因みに映像画面１００においては、ユーザの好みに応じて主表示領域１００Ａと副表示領域１００Ｂとに表示された映像を入れ換えることにより、当該主表示領域１００Ａに通話相手の映像を表示させるとともに、副表示領域１００Ｂにユーザ自身の映像を表示させることもできる。
【００４１】
このときカメラ付携帯電話機１においては、ユーザの好みや体格、周囲の状況等によってカメラ付携帯電話機１とユーザの顔との距離（以下、これを撮像距離と呼ぶ）が異なることから、図４（Ａ）に示すように撮像距離Ｌ１が短い場合、ＣＣＤカメラ８の画角Ａｎｇ１ではユーザの顔を過大に撮像してしまうこともある。
【００４２】
またカメラ付携帯電話機１においては、図４（Ｂ）に示すように撮像距離Ｌ２が長い場合、ＣＣＤカメラ８の画角Ａｎｇ１ではユーザの顔を過小に撮像してしまうこともある。
【００４３】
このためカメラ付携帯電話機１は、例えば撮像距離Ｌ２においてユーザの顔を過小に撮像している場合、ズームキーを介してズーム倍率を変更するとことにより、図４（Ｃ）に示すように、変更されたＣＣＤカメラ８の画角Ａｎｇ２でユーザの顔を最適な大きさで撮像するように調節し得るようになされている。
【００４４】
このときカメラ付携帯電話機１は、音量補正値テーブルＴ１００に基づいて、ズーム倍率ＺＭに対応した音量補正値ＶＣを読み出し、当該音量補正値ＶＣ（例えば＋４［ｄＢ］）の分だけ基準音量出力レベルを増加させることにより、当該スピーカ６から出力される音声出力レベルがレベル「３」に比して上がるようになさている。
【００４５】
かくして、カメラ付携帯電話機１は、ユーザの好みや体格等によって撮像距離Ｌが異なる場合でも、ＣＣＤカメラ８のズーム倍率ＺＭに応じてスピーカ６からの音量出力レベルを補正することにより、撮像距離Ｌにおいて最適な音量出力レベルで通話相手の音声をスピーカ６から出力し、ユーザに十分に聞かせるようになされている。
【００４６】
次にカメラ付携帯電話機１の音量調整処理手順について図５に示すフローチャートを用いて以下説明する。
【００４７】
実際上、カメラ付携帯電話機１は電源が投入されると、ルーチンＲＴ１の開始ステップから入ってステップＳＰ１に移る。
【００４８】
ステップＳＰ１においてカメラ付携帯電話機１のＣＰＵ２０は、操作部１０を介して映像音声通信モード移行命令が与えられ、音声通信モードから映像音声通信モードに移行したか否かを判断し、肯定結果を得るまで待ち受ける。
【００４９】
ここで肯定結果を得ると、このことは映像音声通信モードに移行したことを表しており、このときＣＰＵ２０は、次のステップＳＰ２へ移る。
【００５０】
ステップＳＰ２においてＣＰＵ２０は、ＣＣＤカメラ８に電源を投入するとともに、音量補正値テーブルＴ１００の初期設定値レベル「３」に基づいてＣＣＤカメラ８のズーム倍率を２倍に設定するとともにスピーカ６の基準音量出力レベルを音量補正値ＶＣ（＋３［ｄＢ］）の分だけ増加させ、次のステップＳＰ３へ移る。
【００５１】
ステップＳＰ３においてＣＰＵ２０は、操作部１０のズームキーが押下されることによりズーム倍率を上げるズーム・アップ命令が与えられたか否かを判断する。
【００５２】
ここで肯定結果が得られると、このことは操作部１０のズームキーが押下されたことによりズーム・アップ命令が与えられたことを表しており、このときＣＰＵ２０は、次のステップＳＰ４へ移る。
【００５３】
ステップＳＰ４においてＣＰＵ２０は、ズームレベルＬＥ（図３）が最大レベル「５」であるか否かを判断する。
【００５４】
ここで肯定結果が得られると、このことはズームレベルＬＥが最大レベル「５」であること、すなわちこれ以上ズーム・アップし得ないことを表しており、このときＣＰＵ２０は、次のステップＳＰ７へ移る。
【００５５】
これに対してステップＳＰ４で否定結果が得られると、このことはズームレベルＬＥが最大レベル「５」ではなくズームレベルＬＥを１つ上げ得ること、すなわちズーム・アップすることにより、ユーザの顔をクローズ・アップした映像を表示部７に表示し得ることを表しており、このときＣＰＵ２０は、次のステップＳＰ５へ移る。
【００５６】
ステップＳＰ５においてＣＰＵ２０は、ズームレベルＬＥを１つ上げるとともに、音量補正値テーブルＴ１００に基づき、１つ上げたズームレベルＬＥに対応付けられたズーム倍率ＺＭ及び音量補正値ＶＣを読み出し（例えばレベル「３」からレベル「４」に上がった場合、ズーム倍率ＺＭは２．５倍、音量補正値は＋４［ｄＢ］となる）、次のステップＳＰ６へ移る。
【００５７】
ステップＳＰ６においてＣＰＵ２０は、ステップＳＰ５で読み出したズーム倍率ＺＭ及び音量補正値ＶＣに応じて、ＣＣＤカメラ８のズーム倍率ＺＭを上げることによりクローズ・アップした映像を表示部７に表示させるとともに、スピーカ６の基準音量出力レベルを音量補正値ＶＣの分だけ増加させることにより音量出力レベルを引き上げて当該スピーカ６から出力される音声を上げた後、次のステップＳＰ７へ移る。
【００５８】
これに対してステップＳＰ３で否定結果が得られると、このことは操作部１０のズームキーが押下されずズーム・アップ命令が与えられていないことを表しており、このときＣＰＵ２０は、次のステップＳＰ８へ移る。
【００５９】
ステップＳＰ８においてＣＰＵ２０は、操作部１０のズームキーが押下されることによりズーム・ダウン命令が与えられたか否かを判断する。
【００６０】
ここで否定結果が得られると、このことは操作部１０のズームキーが押下されずズーム・アップ命令及びズーム・ダウン命令のいずれも与えられていないことを表しており、このときＣＰＵ２０は、次のステップＳＰ７へ移る。
【００６１】
これに対してステップＳＰ８で肯定結果が得られると、このことは操作部１０のズームキーが押下されたことによりズーム・ダウン命令が与えられたことを表しており、このときＣＰＵ２０は、次のステップＳＰ９へ移る。
【００６２】
ステップＳＰ９においてＣＰＵ２０は、ズームレベルＬＥ（図３）が最小レベル「１」であるか否かを判断する。
【００６３】
ここで肯定結果が得られると、このことはズームレベルＬＥが最小レベル「１」であること、すなわちこれ以上ズーム・ダウンし得ないことを表しており、このときＣＰＵ２０は、次のステップＳＰ７へ移る。
【００６４】
これに対してステップＳＰ９で否定結果が得られると、このことはズームレベルＬＥが最小レベル「１」ではなくズームレベルＬＥを１つ下げ得ること、すなわちズーム・ダウンすることにより、ユーザの顔をロング・ショットした映像を表示部７に表示し得ることを表しており、このときＣＰＵ２０は、次のステップＳＰ１０へ移る。
【００６５】
ステップＳＰ１０においてＣＰＵ２０は、ズームレベルＬＥを１つ下げるとともに、音量補正値テーブルＴ１００に基づき、当該１つ下げたズームレベルＬＥに対応付けられたズーム倍率ＺＭ及び音量補正値ＶＣを読み出し（例えばレベル「３」からレベル「２」に下がった場合、ズーム倍率ＺＭは１．５倍、音量補正値は＋２［ｄＢ］となる）、次のステップＳＰ１１へ移る。
【００６６】
ステップＳＰ１１においてＣＰＵ２０は、ステップＳＰ１０で読み出したズーム倍率ＺＭ及び音量補正値ＶＣに応じて、ＣＣＤカメラ８のズーム倍率ＺＭを下げることによりロング・ショットさせた映像を表示部７に表示させるとともに、ステップＳＰ８でズーム・ダウンする前のズームレベルＬＥよりも小さい音量補正値ＶＣの分だけスピーカ６の基準音量出力レベルを増加させることにより音量出力レベルを引き下げて当該スピーカ６から出力される音声を下げた後、次のステップＳＰ７へ移る。
【００６７】
ステップＳＰ７においてＣＰＵ２０は、操作部１０を介して映像音声通信モード終了命令が与えられ、映像音声通信モードから音声通信モードに移行したか否かを判断する。ここで否定結果が得られると、ＣＰＵ２０は再びステップＳＰ３へ戻り上述した処理を繰り返す。
【００６８】
これに対してステップＳＰ７で肯定結果が得られると、このことは操作部１０を介して映像音声通信モード終了命令が与えられ、映像音声通信モードから音声通信モードに移行したことを表しており、このときＣＰＵ２０は、次のステップＳＰ１２へ移り音量調整処理手順を終了する。
【００６９】
以上の構成において、カメラ付携帯電話機１では、ＣＣＤカメラ８のズーム倍率ＺＭが変更されることによりズーム・アップ又はズーム・ダウンし、ユーザの顔がクローズ・アップ又はロング・ショットされた映像を表示部７に表示する。
【００７０】
このときカメラ付携帯電話機１は、音量補正値テーブルＴ１００に基づいて、変更されたズーム倍率ＺＭに対応付けられた音量補正値ＶＣの分だけ基準音量出力レベルを補正することにより、スピーカ６から出力される音量出力レベルを自動的に変更できる。
【００７１】
これによりカメラ付携帯電話機１では、ユーザの好みや体格、或いは周囲の状況等によって撮像距離Ｌが異なる場合でも、ＣＣＤカメラ８のズーム倍率ＺＭに応じて音量出力レベルを補正することにより、当該撮像距離Ｌに応じた最適な音量出力レベルで通話相手の音声をスピーカ６を介してユーザに聞かせることができる。
【００７２】
またカメラ付携帯電話機１では、ＣＣＤカメラ８のズーム倍率ＺＭに応じて音量出力レベルを補正することにより、ユーザがスピーカ６から出力される通話相手の音声が聞こえなくなるか否かを気にせずに、ＣＣＤカメラ８のディジタルズーム機能を利用してユーザの好みの撮像距離Ｌにカメラ付携帯電話機１を変位させることができる。
【００７３】
さらにカメラ付携帯電話機１は、音声通信モードから映像音声通信モードへ移行すると、音量補正値テーブルＴ１００に基づいてスピーカ６から出力されている基準音量出力レベルを音量補正値ＶＣの分だけ増加させ、再び映像音声通信モードから音声通信モードへ移行すると、スピーカ６から出力されている音量出力レベルを基準音量出力レベルに低減させることにより、音声通信モード時に例えば３ＧＰＰ（３ｒｄ　Ｇｅｎｅｒｅｔｉｏｎ　Ｐａｒｔｎｅｒｓｈｉｐ　Ｐｒｏｊｅｃｔ）等により策定されている通常の電話機として使用する際の最大音量出力レベルの規格を満たすことができるとともに、映像音声通信モードでは音声通信モード時に比してユーザの耳元がスピーカ６から離れているものの、イヤホン等を用いることなく当該スピーカ６からの音声を当該ユーザに対して十分に聞かせることができる。
【００７４】
以上の構成によれば、カメラ付携帯電話機１では、撮像距離Ｌがユーザの好みや体格、或いは周囲の状況等に応じて変化した場合であっても、スピーカ６から出力されている音量出力レベルを、ズームレベルＬＥに対応付けられた音量補正値ＶＣを基に最適な音量出力レベルに補正することにより、撮像距離Ｌにかかわらずスピーカ６から出力される通話相手の音声を聞き取り易くでき、かくして使い勝手を向上し得る。
【００７５】
なお上述の実施の形態においては、撮像距離Ｌに応じてユーザがズームキーを介してズーム倍率ＺＭを変更することにより、表示部７に当該ユーザの顔を最適な大きさで表示させるようにした場合について述べたが、本発明はこれに限らず、撮像距離Ｌに応じてＣＰＵ２０がＣＣＤカメラ８を介して被写体であるユーザの顔の輪郭を判別し、当該判別した輪郭を基にユーザの顔がＣＣＤカメラの画角内に入るようにズーム倍率ＺＭを自動で制御することにより、表示部７に当該ユーザの顔を最適な大きさで表示させるようにしても良い。
【００７６】
この場合、カメラ付携帯電話機１ではＣＰＵ２０の制御により自動で変更されたズーム倍率ＺＭに応じて基準音量出力レベルを増加させることにより、ユーザに対して受話音量調節キーの他、ズームキーについても押下させることなく通話相手が望むであろう最適な映像を得ることができ、かくして一段と使い勝手を向上し得る。
【００７７】
また上述の実施の形態においては、ズーム倍率ＺＭに応じてスピーカ６の基準音量出力レベルを音量補正値ＶＣの分だけ補正させるようにした場合について述べたが、本発明はこれに限らず、ズーム倍率ＺＭに応じてマイクロフォン９によるユーザの音声を集音する音量入力レベルを補正させるようにしても良く、この場合、撮像距離Ｌが長くなりカメラ付携帯電話機１がユーザから離れた場合であっても集音感度を補正させることができる。
【００７８】
さらに上述の実施の形態においては、ズーム機能を有する撮像手段として、ディジタルズーム機能を有するＣＣＤカメラ８を適用するようにした場合について述べたが、本発明はこれに限らず、光学ズーム機能を有するＣＣＤカメラのように他の種久の撮像手段を適用するようにしても良い。
【００７９】
さらに上述の実施の形態においては、音量補正値テーブルＴ１００により予め定められた音量補正値ＶＣがズーム倍率ＺＭに対応付けられている場合について述べたが本発明はこれに限らず、操作部１０を介してユーザが設定した数値を音量補正値ＶＣとしてズーム倍率ＺＭに対応付けるようにしても良い。
【００８０】
さらに上述の実施の形態においては、制御手段として、ＣＰＵ２０を適用するようにした場合について述べたが、本発明はこれに限らず、マイクロプロセッサ等の他の種々の制御手段を適用するようにしても良い。
【００８１】
さらに上述の実施の形態においては、ズーム制御手段として、ＣＰＵ２０を適用するようにした場合について述べたが、本発明はこれに限らず、マイクロプロセッサ等の他の種々の制御手段を適用するようにしても良い。
【００８２】
さらに上述の実施の形態においては、本発明の映像通信装置として、カメラ付携帯電話機１を適用するようにした場合について述べたが、本発明はこれに限らず、家庭内やテレビ会議システムに用いるテレビ電話機及びインターフォン等この他種々の映像通信装置を適用するようにしても良い。
【００８３】
【発明の効果】
上述のように本発明によれば、映像通信装置とユーザとの距離が変化する場合でも煩雑な操作を行うことなく当該距離に応じた最適な音量レベルで音声を集音又は通知することにより、当該ユーザと映像通信装置との距離にかかわらず良好な集音や通知を行うことができ、かくして使い勝手を向上し得る映像通信装置を実現できる。
【図面の簡単な説明】
【図１】本発明によるカメラ付携帯電話機の外観構成を示す略線的斜視図である。
【図２】カメラ付携帯電話機の回路構成を示すブロツク図である。
【図３】音量補正値テーブルの構成を示す略線図である。
【図４】ＣＣＤカメラによる撮像の様子を示す略線図である。
【図５】音量調整処理手順を示すフローチャートである。
【符号の説明】
１……カメラ付携帯電話機、６……スピーカ、７……表示部、８……ＣＣＤカメラ、９……マイクロフォン、１０……操作部、２０……ＣＰＵ、２１……ＲＯＭ、２２……ＲＡＭ、２３……送受信部、２４……信号処理部、３０……ＢＵＳ。
【図１】
2004040491.tif 000003
【図２】
2004040491.tif 000004
【図３】
2004040491.tif 000005
【図４】
2004040491.tif 000006
【図５】
2004040491.tif 000007